(57)【要約】【課題】工場などで大量に製造される通常の建物ユニットに連結して用いても、ユニット建物の耐久性を低下させることがない張出ユニットを提供する。【解決手段】張出ユニット２は、建物ユニット１に連結する構面が、ラーメン構造で形成されており、対向する構面は、ピン構造で形成されているとともに、上部水平構面は、水平ブレース材４１が設けられた水平ブレース構造で形成された構成とされている。【選択図】図２
2010261259.tif 000002
【特許請求の範囲】
【請求項１】
ユニット建物の建物本体を構成する建物ユニットに取り付けられて、張出部分を構成する張出ユニットであって、
前記建物ユニットに連結する構面が、ラーメン構造で形成されており、対向する構面は、ピン構造で形成されているとともに、
上部水平構面は、水平変形抑制構造で形成されていることを特徴とする張出ユニット。
【請求項２】
前記上部水平構面の前記水平変形抑制構造は、水平ブレース材が用いられた水平ブレース構造であることを特徴とする請求項１に記載の張出ユニット。
【請求項３】
前記上部水平構面の前記水平変形抑制構造は、トラス材が用いられたトラス構造であることを特徴とする請求項１に記載の張出ユニット。
【請求項４】
前記上部水平構面の前記水平変形抑制構造は、パネル材が用いられたパネル構造であることを特徴とする請求項１に記載の張出ユニット。
【請求項５】
請求項１乃至４のいずれか１項に記載の張出ユニットを備えていることを特徴とするユニット建物。
【発明の詳細な説明】
【技術分野】
【０００１】
本発明は、ユニット建物の張出部分を構成する張出ユニット、及び同張出ユニットを備えたユニット建物に関するものである。
【背景技術】
【０００２】
近年、ユニット建物は、工期が短く、耐久性にも優れるなどの利点から、多く実施されている。
【０００３】
このユニット建物において、サンルームや浴室などの部屋を、建物本体から張り出して設ける場合には、工場などで製造した張出ユニットを、建築現場で建物本体の建物ユニットに組み付けて、張出部分を構成していた（特許文献１などを参照）。
【先行技術文献】
【特許文献】
【０００４】
【特許文献１】特許第２８１２８２０号公報
【発明の概要】
【発明が解決しようとする課題】
【０００５】
こうした特許文献１のような従来の張出ユニットは、建物ユニットに連結する側の柱を省略した分、簡易な構造である。
【０００６】
しかしながら、この連結される側の建物ユニットには、この張出ユニットから大きな捩れ力が入力されるため、耐久性を維持するには、その連結部の柱及び梁の断面を大きくしなければならない。
【０００７】
このため、この従来の張出ユニットを、工場などで大量に製造される通常の建物ユニットに連結して用いれば、せっかくのユニット建物の優れた耐久性を低下させてしまうことになる。
【０００８】
そこで、本発明は、工場などで大量に製造される通常の建物ユニットに連結して用いても、ユニット建物の耐久性を低下させることがない張出ユニット、及び同張出ユニットを備えたユニット建物を提供することを目的としている。
【課題を解決するための手段】
【０００９】
前記目的を達成するために、本発明の張出ユニットは、ユニット建物の建物本体を構成する建物ユニットに取り付けられて、張出部分を構成する張出ユニットであって、前記建物ユニットに連結する構面が、ラーメン構造で形成されており、対向する構面は、ピン構造で形成されているとともに、上部水平構面は、水平変形抑制構造で形成されていることを特徴とする。
【００１０】
ここで、前記上部水平構面の前記水平変形抑制構造は、水平ブレース材が用いられた水平ブレース構造であってもよい。
【００１１】
また、前記上部水平構面の前記水平変形抑制構造は、トラス材が用いられたトラス構造であってもよい。
【００１２】
さらに、前記上部水平構面の前記水平変形抑制構造は、パネル材が用いられたパネル構造であってもよい。
【００１３】
本発明のユニット建物は、上記したいずれかの張出ユニットを備えていることを特徴とする。
【発明の効果】
【００１４】
このような本発明の張出ユニットは、建物ユニットに連結する構面が、ラーメン構造で形成されており、対向する構面は、ピン構造で形成されているとともに、上部水平構面は、水平変形抑制構造で形成された構成とされている。
【００１５】
こうした構成なので、連結される側の建物ユニットには、大きな捩れ力が入力されることはなく、その連結部の柱及び梁の断面を大きくしなくても済むため、工場などで大量に製造される通常の建物ユニットに連結して用いても、ユニット建物の耐久性を低下させることがない。
【００１６】
そのうえ、ピン構造で形成される構面は、簡易且つ安価な構造とすることができる。
【００１７】
ここで、上部水平構面の水平変形抑制構造は、水平ブレース材が用いられた水平ブレース構造である場合は、簡易且つ安価に、水平変形抑制構造を実現することができる。
【００１８】
また、上部水平構面の水平変形抑制構造は、トラス材が用いられたトラス構造である場合も、簡易且つ安価に、水平変形抑制構造を実現することができる。
【００１９】
さらに、上部水平構面の水平変形抑制構造は、パネル材が用いられたパネル構造である場合も、簡易且つ安価に、水平変形抑制構造を実現することができる。
【００２０】
このような本発明のユニット建物は、上記した張出ユニットを備えた構成とされているので、上記した効果を奏するユニット建物を構築することができる。
【図面の簡単な説明】
【００２１】
【図１】実施例１のユニット建物の概略構成を示す斜視図である。
【図２】実施例１の張出ユニットの概略構成を示す模式図である。
【図３】実施例１の張出ユニットの建物ユニットへの連結を説明するための説明図である。
【図４】（ａ）は、従来の張出ユニットを連結したユニット建物において、水平力が入力されたときの変形を説明するための説明図であり、（ｂ）は、実施例１の張出ユニットを連結したユニット建物において、水平力が入力されたときの変形を説明するための説明図である。
【図５】実施例２の張出ユニットの概略構成を示す模式図である。
【図６】実施例３の張出ユニットの概略構成を示す模式図である。
【図７】張出ユニットを１階部分の建物ユニットに連結したユニット建物の概略構成を示す斜視図である。
【発明を実施するための形態】
【００２２】
以下、本発明を実施するための形態を、図面に示す実施例１〜３に基づいて説明する。
【実施例１】
【００２３】
先ず、実施例１について説明する。
【００２４】
図１は、実施例１の張出ユニット２を備えたユニット建物Ｕ１の概略構成を示している。
【００２５】
まず、このような建物Ｕ１は、基礎３の上に、１階部分と２階部分の建物ユニット１，１が組み付けられ、２階部分の建物ユニット１の短辺側の構面に、張出ユニット２が連結されて建物本体が構築された構成とされている。
【００２６】
この実施例１の張出ユニット２は、図２に示したように、建物ユニット１の短辺側の構面に連結する構面が、２本の柱２１Ａ，２１Ａと２本の梁２２Ａ，２２Ａとの端部同士を剛接合したラーメン構造で形成されている。
【００２７】
また、対向する構面は、２本の柱２１Ｂ，２１Ｂと２本の梁２２Ｂ，２２Ｂとの端部同士をピン接合したピン構造で形成されている。
【００２８】
そして、上部水平構面は、４本の梁２２Ａ，２２Ｂ，２２Ｃ，２２Ｃで囲まれた内部に、水平ブレース材４１が設けられて、水平変形抑制構造としての水平ブレース構造で形成されている。
【００２９】
なお、下部水平構面は、４本の梁２２Ａ，２２Ｂ，２２Ｄ，２２Ｄで囲まれた内部に、図示省略の床小梁及び床板が設けられた床構造で形成されている。
【００３０】
こうして工場などで製造された張出ユニット２は、図３に示したように、建築現場において、ラーメン構造の構面が、建物ユニット１の短辺側の構面に、図示省略のボルト及びナットなどの固定手段によって連結される。
【００３１】
次に、実施例１の作用効果について説明する。
【００３２】
このような実施例１の張出ユニット２は、建物ユニット１に連結する構面が、ラーメン構造で形成されており、対向する構面は、ピン構造で形成されているとともに、上部水平構面は、水平変形抑制構造としての水平ブレース構造で形成された構成とされている。
【００３３】
こうした構成なので、連結される側の建物ユニット１には、大きな捩れ力が入力されることはなく、その連結部の柱及び梁の断面を大きくしなくても済むため、工場などで大量に製造される通常の建物ユニット１に連結して用いても、ユニット建物Ｕ１の耐久性を低下させることがない。
【００３４】
すなわち、特許文献１のような従来の張出ユニット２０では、ユニット建物Ｕ１に、水平力Ｆが入力されたとき、図４（ａ）に示したように、この張出ユニット２０から建物ユニット１に大きな捩れ力が入力されて、２点鎖線で示したような大きな捩れ変形を生じる。
【００３５】
このため、工場などで大量に製造される建物ユニット１を用いた場合は、この建物ユニット１が長持ちせず、ひいては、ユニット建物Ｕ１の耐久性を低下させてしまうことになる。
【００３６】
一方で、実施例１の張出ユニット２では、ユニット建物Ｕ１に、水平力Ｆが入力されたとき、図４（ｂ）に示したように、この張出ユニット２から建物ユニット１には大きな捩れ力が入力されず、２点鎖線で示したような小さな整然とした変形を生じるだけである。
【００３７】
このため、工場などで大量に製造される建物ユニット１を用いた場合も、この建物ユニット１が長持ちし、ひいては、ユニット建物Ｕ１の耐久性を低下させることがない。
【００３８】
ここで、特に、ユニット建物Ｕ１内に吹抜空間を設けた場合などは、床剛性にも期待できないため、この作用効果の違いがより顕著となる。
【００３９】
また、ラーメン構造で形成された構面と対向する構面は、ピン構造で形成されているので、簡易且つ安価な構造とすることができる。
【００４０】
さらに、上部水平構面の水平変形抑制構造は、水平ブレース材４１が用いられた水平ブレース構造であるので、簡易且つ安価に、水平変形抑制構造を実現することができる。
【００４１】
このような実施例１のユニット建物Ｕ１は、上記した張出ユニット２を備えた構成とされているので、上記した作用効果を奏するユニット建物として構築することができる。
【実施例２】
【００４２】
次に、実施例２について説明する。
【００４３】
なお、上記実施例１で説明した内容と同一乃至均等な部分の説明については同一符号を付して説明する。
【００４４】
この実施例２の張出ユニット２Ａでは、図５に示したように、上部水平構面は、４本の梁２２Ａ，２２Ｂ，２２Ｃ，２２Ｃで囲まれた内部に、トラス材４２が設けられて、水平変形抑制構造としてのトラス構造で形成されている。
【００４５】
すなわち、水平変形抑制構造として、トラス構造を適用したことが、上記実施例１と主に異なる。
【００４６】
なお、他の構成及び作用効果については、上記実施例１と略同様であるので説明を省略する。
【実施例３】
【００４７】
次に、実施例３について説明する。
【００４８】
なお、上記実施例１で説明した内容と同一乃至均等な部分の説明については同一符号を付して説明する。
【００４９】
この実施例３の張出ユニット２Ｂでは、図６に示したように、上部水平構面は、４本の梁２２Ａ，２２Ｂ，２２Ｃ，２２Ｃで囲まれた内部で、梁２２Ｃ，２２Ｃ間に小梁４３ａ，・・・が架設され、その上面にパネル材４３が貼設されて、水平変形抑制構造としてのパネル構造で形成されている。
【００５０】
すなわち、水平変形抑制構造として、パネル構造を適用したことが、上記実施例１と主に異なる。
【００５１】
なお、他の構成及び作用効果については、上記実施例１と略同様であるので説明を省略する。
【００５２】
以上、図面を参照して、本発明を実施するための形態について実施例１〜３をもとに詳述してきたが、具体的な構成は、上記した実施例１〜３に限らず、本発明の要旨を逸脱しない程度の設計的変更は、本発明に含まれる。
【００５３】
例えば、上記実施例１〜３では、張出ユニット２を、ユニット建物Ｕ１の２階部分の建物ユニット１に連結して実施したが、これに限定されない。
【００５４】
すなわち、張出ユニット２を、図７に示したように、ユニット建物Ｕ２の１階部分の建物ユニット１に連結して実施しても、同様の作用効果が得られる。
【００５５】
また、上記実施例１〜３では、水平変形抑制構造として、水平ブレース構造、トラス構造及びパネル構造をそれぞれ適用して実施したが、これらに限定されず、この水平変形抑制構造とは、張出ユニット２の上部水平構面の水平変形を抑制するものであればよい。
【符号の説明】
【００５６】
Ｕ１    ユニット建物
Ｕ２    ユニット建物
１      建物ユニット
２      張出ユニット
４１    水平ブレース材
４２    トラス材
４３    パネル材
【図１】
2010261259.tif 000003
【図２】
2010261259.tif 000004
【図３】
2010261259.tif 000005
【図４】
2010261259.tif 000006
【図５】
2010261259.tif 000007
【図６】
2010261259.tif 000008
【図７】
2010261259.tif 000009